(57)【要約】      （修正有）【課題】回転台上に取付けられた大揉み玉及び小揉み玉からなる揉み玉の構成において、当該大揉み玉及び小揉み玉を最適なバランスで回転台上に取付けることにより、立体的な揉みほぐしを十分に行って最適なマッサージ効果を得ることのできる揉み玉を備えたマッサージ装置を提供する。【解決手段】マッサージ装置において用いられ、駆動手段により回転する回転台５上に取付けられた揉み玉１であって、前記揉み玉１は、前記回転台５上の偏心位置で対向する大小一対の大揉み玉２と小揉み玉３とからなり、前記大揉み玉２が前記小揉み玉３よりも側面視で２．０ｍｍ〜３．０ｍｍ高くなるように回転台５の上面に取付けられている。【選択図】図２
0003178357.tif 000002
【実用新案登録請求の範囲】
【請求項１】
マッサージ装置において用いられ、駆動手段により回転する回転台上に取付けられた揉み玉であって、
前記揉み玉は、前記回転台上の偏心位置で対向する大小一対の大揉み玉と小揉み玉とからなり、前記大揉み玉が前記小揉み玉よりも側面視で２．０ｍｍ〜３．０ｍｍ高くなるように回転台上面に取付けられていることを特徴とする揉み玉。
【請求項２】
前記大揉み玉又は小揉み玉のいずれか一方或いは両方の表面に突起部を設け、当該突起部を含めて前記大揉み玉が前記小揉み玉よりも側面視で２．０ｍｍ〜３．０ｍｍ高くなるように回転台上面に取付けられていることを特徴とする請求項１に記載の揉み玉。
【請求項３】
前記大揉み玉又は小揉み玉のいずれか一方或いは両方が前記回転台上に軸支され、使用者の体表面に当接した際に回転可能に取付けられていることを特徴とする請求項１又は２のいずれかに記載の揉み玉。
【請求項４】
請求項１乃至３に記載の揉み玉を備えたことを特徴とするマッサージ装置。
【考案の詳細な説明】
【技術分野】
【０００１】
本考案は、マッサージ装置において用いられる揉み玉及び当該揉み玉を備えたマッサージ装置に関する。
【背景技術】
【０００２】
近年、自宅や職場環境など、パソコンや携帯電話の普及率が高まり、その使用時間が長くなるに従って肩こりに悩む人が多くなっている。これは、パソコン等の長時間の使用により、肩甲骨の内側の筋肉が緊張することによって血行が阻害されるためであり、このような肩こりの症状が出るケースが増加している傾向にある。また、自宅や職場等で長時間着座していると、腰部に負担が掛かって腰痛等の症状が出る可能性がある。そのため、このような肩こり又は腰痛等の予防解消法としては、肩甲骨又は腰部近傍等の患部の硬化した筋肉を揉みほぐして血行促進を図ることが最良である。
【０００３】
そのような揉みほぐし効果のあるマッサージ装置として、従来、本願出願人より、回転台の上面に大小一対の大揉み玉及び小揉み玉を突設し、夫々回転することにより、当該大小一対の揉み玉が使用者の体表面に対してマッサージするマッサージ装置が提供されている（特許文献１）。
【先行技術文献】
【特許文献】
【０００４】
【特許文献１】実用新案登録第３１７５２０６号公報
【考案の概要】
【考案が解決しようとする課題】
【０００５】
しかしながら、特許文献１に記載のマッサージ装置の揉み玉１０１において（図９の側面図を参照。）、ロータアセンブリ（回転台）の上面からの大揉み玉１０２及び小揉み玉１０３の高さの差についての具体的な明示は当該特許文献１にはなく、本願出願人による当該従来のマッサージ装置の設計構造によれば、大揉み玉１０２の高さが小揉み玉１０３よりも側面視で５．０ｍｍ高く支持部材１０４を介して回転台１０５の上面に取付けられていた。そのため、図１０（ａ）に示すように、小揉み玉１０３が使用者の体表面に当接するに際しては擦る程度の加圧しか与えることができず、小揉み玉１０３による使用者の体表面への揉みほぐしが不十分となり、使用者にとって揉みほぐしのマッサージ効果が物足りないものになってしまうという問題があった。なお、図中の右方向に、回転台に従って回転する大揉み玉１０２（図中「大」。）及び小揉み玉１０３（図中「小」。）が使用者の体表面に当接する時系列を示し、図中の縦方向に、当該大揉み玉１０２及び小揉み玉１０３による加圧力を示す。また、図中の縦方向の「もみ」目盛りは、両揉み玉が使用者の体表面に対して十分に揉みほぐし可能な程度の加圧力を示すものであり、「さすり」目盛りは、両揉み玉が使用者の体表面に対して単に擦る程度でしかない加圧力を示すものである。（以下、図１０（ｂ）においても同じ。）。
【０００６】
また、一方で、図１０（ｂ）に示すように、ロータアセンブリ（回転台）の表面からの大揉み玉及び小揉み玉の高さの差を取り除き、小揉み玉を大揉み玉と同程度の高さとして取付ければ、使用者の体表面に対して十分な加圧を与えることはできる。しかしながら、大揉み玉及び小揉み玉を同程度の高さにして取付けると、大揉み玉及び小揉み玉の加圧の強弱に差がなく、使用者の体表面に対して均一に加圧されてしまうため、平面的な揉みほぐしとなってマッサージ効果が減少してしまうという問題があった。
【０００７】
そこで、本考案は、回転台上に取付けられた大揉み玉及び小揉み玉からなる揉み玉の構成において、当該大揉み玉及び小揉み玉を最適なバランスで回転台上に取付けることにより、当該大揉み玉及び小揉み玉による立体的な揉みほぐしを十分に行い、最適なマッサージ効果を得ることのできる揉み玉及び当該揉み玉を備えたマッサージ装置を提供することを課題とする。
【課題を解決するための手段】
【０００８】
上記課題を解決するために、本考案は次のように構成した。すなわち、本考案に係る請求項１に記載の揉み玉は、マッサージ装置において用いられ、駆動手段により回転する回転台上に取付けられた揉み玉であって、前記揉み玉は、前記回転台上の偏心位置で対向する大小一対の大揉み玉と小揉み玉とからなり、前記大揉み玉が前記小揉み玉よりも側面視で２．０ｍｍ〜３．０ｍｍ高くなるように回転台上面に取付けられていることを特徴としている。
【０００９】
また、請求項２に記載の揉み玉は、前記請求項１に記載の揉み玉において、前記大揉み玉又は小揉み玉のいずれか一方或いは両方の表面に突起部を設け、当該突起部を含めて前記大揉み玉が前記小揉み玉よりも側面視で２．０ｍｍ〜３．０ｍｍ高くなるように回転台上面に取付けられていることを特徴としている。
【００１０】
また、請求項３に記載の揉み玉は、前記請求項１又は請求項２に記載の大揉み玉又は小揉み玉のいずれか一方或いは両方が前記回転台上に軸支され、使用者の体表面に当接した際に回転可能に取付けられていることを特徴としている。
【００１１】
さらに、請求項４に記載のマッサージ装置は、請求項１乃至３に記載の揉み玉を備えたことを特徴としている。
【考案の効果】
【００１２】
本考案に係る請求項１に記載の揉み玉によれば、大揉み玉及び小揉み玉の高さの差を最適なバランスである２．０ｍｍ〜３．０ｍｍとしたことにより、小揉み玉でも十分な加圧によって使用者の体表面を揉みほぐすことができるとともに、大揉み玉及び小揉み玉の高さの差によって立体的な揉みほぐしも行うことができ、使用者は、十分に最適なマッサージ効果を得ることができる。
【００１３】
また、請求項２に記載の揉み玉によれば、前記請求項１に記載の考案の効果に加えて、前記大揉み玉又は小揉み玉のいずれか一方或いは両方の表面に突起部を設けたことにより、使用者は、より変化に富んだバリエーションのあるマッサージを行うことができる。
【００１４】
また、請求項３に記載の揉み玉によれば、前記請求項１又は２に記載の考案の効果に加えて、当該大揉み玉又は小揉み玉のいずれか一方或いは両方を回転可能に軸支したことにより、使用者の体表面が当該大揉み玉又は小揉み玉に当接した際、摩擦によって当該大揉み玉又は小揉み玉が回転するため、当該大揉み玉又は小揉み玉がスムーズに滑動し、使用者の体表面にとってより滑らかなマッサージを行うことができる。
【００１５】
さらに、請求項４に記載のマッサージ装置によれば、前記請求項１乃至３に記載の揉み玉を内蔵したマッサージ装置を使用することにより、使用者は、前記十分に最適なマッサージ効果を得ることができ、また、より変化に富んだバリエーションのあるマッサージを行うことができ、また、使用者の体表面にとってより滑らかなマッサージを行うことができる。
【図面の簡単な説明】
【００１６】
【図１】本考案に係る揉み玉を示す外観斜視図である。
【図２】当該揉み玉を示す側面図である。
【図３】当該揉み玉による揉み感を示す図である。
【図４】当該マッサージ装置を示す外観斜視図である。
【図５】当該マッサージ装置の内部構造を示す底面図である。
【図６】他の実施例の揉み玉を示す外観斜視図である。
【図７】他の実施例の揉み玉を示す側面断面図である。
【図８】他の実施例の揉み玉を示す側面断面図である。
【図９】従来の揉み玉を示す側面図である。
【図１０】当該従来の揉み玉による揉み感を示す図である。
【考案を実施するための形態】
【００１７】
以下、図面に基づいて本考案を具体的に説明する。まず、図１は、本考案に係る揉み玉１を示す外観斜視図である。当該揉み玉１は、比較的大きく形成した大揉み玉２と当該大揉み玉２よりも小さく形成した小揉み玉３とから構成されている。当該大揉み玉２及び小揉み玉３は、両者とも略半球形状に形成され、夫々支持部材４、４を介して回転台５の上面の偏心位置に対向するように取り付けられている。
【００１８】
このとき、回転台５の上面に取り付けられた大揉み玉２及び小揉み玉３の回転台５の上面からの高さは、大揉み玉２が２９．０ｍｍ〜３２．０ｍｍの範囲、また、小揉み玉３が２７．０ｍｍ〜３０．０ｍｍの範囲で設定されており、図２の側面図で示すように、当該大揉み玉２の高さが小揉み玉３の高さよりも２．０ｍｍ高くなるように回転台５の上面に取付けられる。例えば、回転台５の上面からの大揉み玉２の高さが３１．０ｍｍであれば、小揉み玉３の高さは、２９．０ｍｍとなる。なお、回転台５の上面からの高さとは、基本的には、回転台５の上面から大揉み玉２又は小揉み玉３の頂点までの高さのことである。
【００１９】
図３は、このように大揉み玉２及び小揉み玉３の高さの差を２．０ｍｍとして取付けた揉み玉１による揉み感を示す図である。なお、図中の右方向に、回転台に従って回転する大揉み玉２（図中「大」。）及び小揉み玉３（図中「小」。）が使用者の体表面に当接する時系列を示し、図中の縦方向に、当該大揉み玉２及び小揉み玉３による加圧力を示し、下方から上方へ向けて加圧力が強くなる。また、図中の縦方向の「もみ」目盛りは、揉み玉１が使用者の体表面に対して十分に揉みほぐし可能な程度の加圧レベルを示すものであり、「さすり」目盛りは、揉み玉１が使用者の体表面に対して単に擦る程度でしかない加圧レベルを示すものである。
【００２０】
当該図３に示すように、当該揉み玉１による揉み感は、大揉み玉２が使用者の体表面に当接する際には、「もみ」目盛り以上の十分な加圧力を以って使用者の体表面を加圧し、一方で、小揉み玉３が使用者の体表面に当接する際には、「もみ」目盛りを僅かに超えた程度の十分な加圧力によって使用者の体表面に対して揉みほぐしを行っている。すなわち、当該揉み感は、大揉み玉２及び小揉み玉３の高さの差を２．０ｍｍという最適なバランスで回転台上に取付けたことによるものであり、大揉み玉２が小揉み玉３による加圧を阻害することなく、小揉み玉３においても使用者の体表面に対して十分な加圧を行うことができ、大揉み玉２及び小揉み玉３の両者による立体的な揉みほぐしを行うことが可能となる。
【００２１】
一方で、図１０（ａ）に示した従来の揉み感は、本考案に係る揉み玉１の揉み感と比較すると、大揉み玉１０２が小揉み玉１０３よりも５．０ｍｍ高くなるように取付けられていたために、大揉み玉１０２が小揉み玉１０３による加圧を阻害し、小揉み玉１０３による十分な加圧を得ることができず、立体的な揉みほぐしを効果的に行うことはできない。また、図１０（ｂ）に示した従来の揉み感は、上記のとおり、平面的な揉みほぐししかできず、マッサージ効果としては十分ではない。
【００２２】
以上のように、立体的な揉みほぐしによる効果的なマッサージを行うには、大揉み玉２及び小揉み玉３の高さの差を２．０ｍｍとするのが肝要であり、この最適なバランスで大揉み玉２及び小揉み玉３を取付けることにより、大揉み玉２だけでなく小揉み玉３によっても十分な加圧を行うことができるとともに、大揉み玉２及び小揉み玉３の両者による立体的な揉みほぐしが可能となって十分なマッサージ効果を得ることができる。
【００２３】
次に、前記揉み玉１を備えたマッサージ装置１０について説明する。
【００２４】
図４は、当該マッサージ装置１０を示す外観斜視図である。当該マッサージ装置１０は、ハウジング１１と、当該ハウジング１１内に内蔵された駆動モーター１２と、当該駆動モーター１２から回転運動が伝達されて回転する左右の回転台５、５と、当該回転台５、５の上面に支持部材４、４を介して取付けられた前記揉み玉１、１とから構成される。当該揉み玉１は、マッサージ装置１０の左右に設けた回転台５、５の上面に夫々設けられており、駆動モーター１２の駆動によって回転台５、５が回転するのに伴って、揉み玉１、１が回転し、例えば、肩甲骨又は腰部等の使用者の体表面に対して立体的なマッサージを行う。
【００２５】
なお、当該揉み玉１、１について、前記のとおり、回転台５の上面に取り付けられた大揉み玉２及び小揉み玉３の回転台５の上面からの高さは、大揉み玉２が２９．０ｍｍ〜３２．０ｍｍの範囲、また、小揉み玉３が２７．０ｍｍ〜３０．０ｍｍの範囲で設定されており、前記図２の側面図で示すように、当該大揉み玉２の高さが小揉み玉３の高さよりも２．０ｍｍ高くなるように回転台５の上面に取付けられている。
【００２６】
図５は、当該マッサージ装置１０に係るハウジング１１の内部構造を示す底面図である。なお、当該図５では、当該ハウジング１１の内部構造を容易に把握すべく、底面視からの表現により当該内部構造を示す。ハウジング１１内の中央部に配設された駆動モーター１２は、電動の単軸モーターで構成されており、当該単軸の先端にはネジ溝が掘られ、ウォームギア１３として形成されている。当該左右のウォームギア１３の近傍には、ハウジング１１に取り付けられた軸棒１４が設けられ、当該軸棒１４に左右の二段歯車１５、１５が回転可能に軸支されている。当該二段歯車１５、１５は、上段の径の大きいはすば歯車１５ａ、１５ａと下段の径の小さい小歯車１５ｂ、１５ｂとが形成されており、はすば歯車１５ａ、１５ａが前記ウォームギア１３と夫々噛み合っている。一方、下段の小歯車１５ｂ、１５ｂは、平歯車１６、１６と夫々噛み合うように構成されている。そして、当該平歯車１６、１６を回転可能に軸支する回転軸１７の上端には、前記回転台５、５がその中心位置で載置されて固定されている。このような内部構成によって、駆動モーター１２による回転運動が左右の回転台５、５へと伝達される。
【００２７】
なお、当該駆動モーター１２の回転運動を伝達するための構成は前記内部構成に限られるものではなく、当該駆動モーター１２の回転運動を左右の回転台５、５に伝達できればどのような構成であってもよい。
【００２８】
このように構成したマッサージ装置１０によれば、大揉み玉２及び小揉み玉３の高さの差を最適なバランスである２．０ｍｍとしたことにより、小揉み玉２でも十分な加圧によって使用者の体表面を揉みほぐすことができるとともに、大揉み玉２及び小揉み玉３の高さの差によって立体的な揉みほぐしも行うことができ、使用者は、回転台５に伴って回転する一対の揉み玉１により、肩甲骨又は腰部等の使用者の体表面に対して十分に最適なマッサージ効果を得ることができる。
【００２９】
また、当該マッサージ装置１０は、クッション等に内蔵して使用することもできる（図示せず。）。発泡ウレタン等の通常用いられるクッション素材と当該クッション素材を被覆するクッションカバーからクッションにおいて、当該クッション素材に前記マッサージ装置１０を嵌め込み可能な陥没部を設け、当該陥没部にマッサージ装置１０を揉み玉１、１が露出するように嵌め込み、前記クッションカバーでクッション素材及びマッサージ装置１０を被覆することでクッションを形成する。このように、マッサージ装置１０をクッションに内蔵することにより、上記のマッサージ効果を備えたマッサージクッションを自由に持ち運んで使用することができ、クッションカバーに装飾等を施せば美観性に優れ、部屋のインテリアとして載置することもできる。
【００３０】
次に、その他の揉み玉１の実施例について説明する。なお、当該その他実施例に係る揉み玉１も前記マッサージ装置１０に備えることができる。
【００３１】
図６は、大揉み玉２の表面に突起部６を設けた揉み玉１を示す外観斜視図である。このように、大揉み玉２の表面に突起部６を設けたことにより、使用者は、より変化に富んだ揉みほぐしによって効果的なマッサージを行うことができる。また、当該突起部６は、小揉み玉３の表面に設けてもよく、また、大揉み玉２及び小揉み玉３の両方の表面に設けてもよく、よりバリエーションに富んだ揉みほぐしによって効果的なマッサージを行うこともできる。
【００３２】
なお、上記各実施例において、大揉み玉２と小揉み玉３の高さは、突起部６を設けた場合には突起部６を含めた上で計測し、大揉み玉２の方が小揉み玉３よりも高く、その差を２．０ｍｍとするのが最適であるが、大揉み玉２及び小揉み玉３をその差２．０ｍｍ〜３．０ｍｍの範囲内で取り付けてもよく、この範囲内であっても最適の２．０ｍｍとした場合と同程度の効果を得ることができる。
【００３３】
図７は、大揉み玉２を支持する支持部材４の下端を、回転可能手段としてベアリング１８及び座金１９、１９を介して回転台５の上面に軸支した状態を示す側面断面図である。このように構成すれば、回転台５の上面で大揉み玉２が支持部材４を介して回転可能となり、使用者の体表面が当該大揉み玉２に当接した際、摩擦によって当該大揉み玉２が回転するため、当該大揉み玉２がスムーズに滑動し、使用者の体表面にとってより滑らかなマッサージを行うことができる。また、小揉み玉３も同様に回転可能に支持部材４を介して取付けてもよく、また、大揉み玉２及び小揉み玉３の両方をこのように構成してもよい。
【００３４】
この際も、大揉み玉２と小揉み玉３の高さの差は、前記実施例の揉み玉１と同様に、大揉み玉２の方が小揉み玉３よりも高く、２．０ｍｍ差を最適とし、或いは、２．０ｍｍ〜３．０ｍｍ差の範囲内で構成される。
【００３５】
図８は、大揉み玉２又は小揉み玉３を回転台５の上面に支持する支持部材４に、大揉み玉２又は小揉み玉３が揺動可能となるように、揺動可能手段としてコイルばね２０等の弾性素材を介した構成を示す側面断面図である。このように、揉み玉１の揺動可能手段としてコイルばね２０を介したことにより、大揉み玉２又は小揉み玉３が上下、前後左右に揺動可能に形成されるため、使用者の体表面に当接した際に、使用者の体表面の形状に沿うようにしてマッサージを行うことができるため、大揉み玉２及び小揉み玉３による前記立体的なマッサージをより効果的に行うことができる。
【００３６】
この際も、大揉み玉２と小揉み玉３の高さの差は、前記実施例の揉み玉１と同様に、大揉み玉２の方が小揉み玉３よりも高く、２．０ｍｍ差を最適とし、或いは、２．０ｍｍ〜３．０ｍｍ差の範囲内で構成される。
【００３７】
これらの突起部６と、回転可能手段としてのベアリング１８及び座金１９と、揺動可能手段としてのコイルばね２０は、夫々別個に設けてもよく、また、組み合わせて設けてもよい。例えば、突起部６を設けた揉み玉１のみをマッサージ装置１０に設けてもよく、当該突起部６を揉み玉１に設けるとともに回転可能手段を支持部材４の下端に設け、突起部６と回転可能手段とを組み合わせてマッサージ装置１０に設けてもよい。これにより、前記十分なマッサージ効果を得た上で、よりバリエーションに富んだマッサージを行うことができる。
【００３８】
また、マッサージ装置１０は、前記実施例の態様に限られるものではなく、例えば、ハンドマッサージ装置等、少なくとも１つの回転台５を回転可能にすることのできるマッサージ装置１０であれば、どのような態様であってもよい。すなわち、本考案に係る揉み玉１は、種々の態様のマッサージ装置１０に対して取り付けることができる。
【産業上の利用可能性】
【００３９】
本考案に係るマッサージ装置１０は、前記クッション以外にもソファやチェアなどに内蔵して利用することができる。
【符号の説明】
【００４０】
１、１０１    揉み玉
２、１０２    大揉み玉
３、１０３    小揉み玉
４、１０４    支持部材
５、１０５    回転台
６    突起部
１０    マッサージ装置
１１    ハウジング
１２    駆動モーター
１３    ウォームギア
１４    軸棒
１５    二段歯車
１５ａ  はすば歯車
１５ｂ  小歯車
１６    平歯車
１７    回転軸
１８    ベアリング
１９    座金
２０    コイルばね
【図１】
0003178357.tif 000003
【図２】
0003178357.tif 000004
【図３】
0003178357.tif 000005
【図４】
0003178357.tif 000006
【図５】
0003178357.tif 000007
【図６】
0003178357.tif 000008
【図７】
0003178357.tif 000009
【図８】
0003178357.tif 000010
【図９】
0003178357.tif 000011
【図１０】
0003178357.tif 000012